(57)【要約】  本発明は、  −基部（２）、およびこの基部から直立した少なくとも２つの要素（４）を備えるエンドピース（５）と、  −  エンドピース（５）を受けるように構成された本体（３）と、  −  エンドピース（５）を本体（３）に対して軸（Ｘ）の周りで回転させる手段とを備え、  エンドピースが、回転中に変動する、軸（Ｘ）を含む平面における断面外形を有する、化粧用デバイス（１）に関する。
2016500522.tif 000002
【特許請求の範囲】
【請求項１】
−  基部（２）、および前記基部から直立した少なくとも２つの要素（４）を備えるエンドピース（５）と、
−  前記エンドピース（５）を受けるように構成された本体（３）と、
−  前記エンドピース（５）を前記本体（３）に対して軸（Ｘ）の周りで回転させる手段と
を備える化粧用デバイス（１）であって、
前記エンドピースが、回転中に変動する、前記軸（Ｘ）を含む平面における断面外形を有し、
前記回転軸（Ｘ）が、前記基部（２）に対して垂直であり、
各断面外形が、単一の最大値を備えることを特徴とする、化粧用デバイス（１）。
【請求項２】
前記エンドピースが、前記軸（Ｘ）を通る多くとも１つの対称の中央面を備えることを特徴とする、請求項１に記載のデバイス。
【請求項３】
前記エンドピース（５）が、極値寸法の２つの要素間の高さの差が０．２ｃｍよりも大きく、好ましくは１ｃｍよりも大きく、より好ましくは１．５ｃｍよりも大きくなるような、少なくとも２つの直立要素（４）を備えることを特徴とする、請求項１または２に記載のデバイス。
【請求項４】
前記エンドピースが、前記軸（Ｘ）を通る対称の中央面を有さないことを特徴とする、請求項１から３のいずれか一項に記載のデバイス。
【請求項５】
前記基部が、前記直立要素（４）によって占められた全表面積（Ｓ）を有し、前記表面積（Ｓ）が、測定すると１ｃｍ２〜４ｃｍ２の間、好ましくは２ｃｍ２〜３ｃｍ２の間であることを特徴とする、請求項１から４のいずれか一項に記載のデバイス。
【請求項６】
前記エンドピースが、離間した角度で少なくとも２つの異なる断面を有することを特徴とする、請求項１から５のいずれか一項に記載のデバイス。
【請求項７】
前記基部の各断面が、その２つの側方端部間で少なくとも１つの極値を通ることを特徴とする、請求項１から６のいずれか一項に記載のデバイス。
【請求項８】
請求項１から７のいずれか一項に記載のデバイスの使用を含む化粧方法。
【請求項９】
請求項１から７のいずれか一項に記載のデバイスを備えるキット。
【請求項１０】
請求項１から７のいずれか一項に記載のエンドピースが収容される貫通孔を備える、化粧品容器を備えるアセンブリ。
【発明の詳細な説明】
【技術分野】
【０００１】
本発明の主題は、マッサージを行い、かつ/または洗浄を行い、かつ/または化粧品組成物を体表面に塗布するためのデバイスである。
【０００２】
本発明によれば、「化粧用デバイス」とは、マッサージを行い、かつ/または洗浄を行い、かつ/または化粧品組成物を塗布するためのデバイスを意味するものとして理解される。
【０００３】
特に、このエンドピースは、身体のある帯域をマッサージする分野、および皮膚を洗浄する、特に皮膚の毛穴から不純物を除去するために深部洗浄する分野において特に有利である。このデバイスはまた、身体の洗浄またはケアに応用するのにも有用となり得る。
【背景技術】
【０００４】
「化粧品」という表現は、１９９３年６月１４日付けのＥＵ理事会指令９３／３５／ＥＥＣ(Council Directive 93/35/EEC)で定義された製品を意味するものとして理解されたい。
【０００５】
エアゾール器と、エアゾール器に取り付けられ、電機モータによって駆動される回転マッサージ部材を備えるデバイスとを備えるアセンブリを用いた化粧品組成物の塗布が、特許文献１から知られている。
【０００６】
本発明は、マッサージを行い、ある種の化粧品活性剤を塗布する新規な手法を提供することを目的とする。
【０００７】
特許文献２には、化粧品組成物を分注し、塗布するアセンブリであって、
- 化粧品組成物を収容した容器(receptacle)と、
- エンドピースと、
- 塗布デバイスと
を備え、前記塗布デバイスが、
- 容器およびエンドピースを受けるように構成された本体と、
- エンドピースを本体に対して回転させるための手段と、
- 組成物を容器からアプリケータの塗布表面の方に搬送するダクトと
を備える、アセンブリが開示されている。
【０００８】
この文献の教示によれば、回転によってマッサージ作用、皮膚剥脱作用、および組成物塗り広げ作用の少なくとも１つを実施することが可能となり、これによって新感覚の塗布感を生み出すことができ、また、化粧品組成物の１種または複数種の活性剤の効果を高めることができる。
【０００９】
また、この文献によれば、エンドピースには、マッサージ用起伏、たとえばスパイクまたはボールが設けられている。しかし、エンドピースの特定の起伏に関連した利点は実証されていない。
【００１０】
特許文献３は、身体マッサージデバイスの本体に取り付けられることになる対称ドーム形の剛毛のエンドピースについて記載している。このドーム形状のため、エンドピースによって加えられる最大圧力は、エンドピースの回転中、その中央に位置する。さらに、エンドピースを体表面に対して静止させたまま保持すると、剛毛によってこの体表面のある点に加えられる圧力は、常に同じとなる。エンドピースの回転中、所与の点における接触圧力に周期的な変動は生じない。
【先行技術文献】
【特許文献】
【００１１】
【特許文献１】欧州特許出願公開第１７２８４９４号明細書
【特許文献２】仏国特許出願公開第２９１８５４５号明細書
【特許文献３】米国特許第７４６９７０３号明細書
【特許文献４】米国特許出願公開第２００６／０２７６７３１号明細書
【発明の概要】
【発明が解決しようとする課題】
【００１２】
身体または顔のマッサージの範囲では、たとえば眼の周り(contour of the eyes)の領域の鬱血除去効果が得られるように、血液循環またはリンパ液循環を改善させながらも、安息感を高めるエンドピースが求められている。
【００１３】
顔の洗浄またはケアの範囲では、ソフトであるが、不備なく顔色にムラがなく赤みを生じない清潔な皮膚を得るのに有効なマッサージ用エンドピースが求められている。このために、洗顔の目的は、特に脂性肌、またはニキビがちな肌では、Ｐ．アクネス(P. acnes)などの細菌が皮膚の毛穴で増殖するのを回避することである。普通肌から乾燥肌として知られる肌では、洗顔の主な目的は、死滅した皮膚を除去することである。
【００１４】
また、化粧品組成物がパッケージングされているいかなるデバイスにも取り付けることができ、特にそれらのデバイスが洗顔用の活性剤を収容している場合に取り付けることができる、低コストのマッサージ用エンドピースを提供することが求められている。
【００１５】
また、その操作によって、様々なレベルの皮膚洗浄が可能となるマッサージ用エンドピースが求められている。
【００１６】
また、頬骨、ならびに鼻の両側を洗浄することが可能となるように、顔のくぼみおよび起伏に適したマッサージ用エンドピースが求められている。
【００１７】
また、化粧品を適正に塗布しながら、または深部洗浄を行いながらも新しいタイプの感覚をもたらし、かつ血液循環およびリンパ液循環を向上させるようにマッサージを行うマッサージ用エンドピースがやはり求められている。
【００１８】
本発明の目的は、皮膚への、最も高い要素の加圧と、最も短い要素の緩和とが交互になるように、基部上に分散した様々な高さの直立要素を備える回転アプリケータを提案することによって、上記で認識された問題のすべて、またはいくつかを解決することである。
【課題を解決するための手段】
【００１９】
本発明の主題は、
−  基部、および基部から直立した少なくとも２つの要素を備えるエンドピースと、
−  エンドピースを受けるように構成された本体と、
−  エンドピースを本体に対して軸（Ｘ）の周りで回転させる手段と
を備え、
エンドピースが、回転中に変動する、軸（Ｘ）を含む平面における断面外形を有し、
回転軸（Ｘ）が、基部（２）に対して垂直であり、
各断面外形が、単一の最大値を備える、化粧用デバイスである。
【００２０】
有利には、このエンドピースは、軸（Ｘ）を通る多くとも１つの対称の中央面を備える。
【００２１】
本発明によれば、直立要素は、自由端で各々終端している。この端部は、デバイスの使用中、処置すべき表面、特に皮膚と接触することになる。
【００２２】
本発明によるデバイスを用いると、エンドピースの回転中に、循環を向上させるように、直立要素の圧力を皮膚に対して交互に加えることが可能となる。
【００２３】
本発明によるデバイスを用いると、より強い影響力で、より活性なマッサージを実施するために、エンドピースの移動中に、皮膚の連続した領域に異なる圧力を加えることが可能となる。リラクセーションの向上を実現するために、様々な圧力レベルを交互に加えることが可能となる。
【００２４】
本発明はまた、上記のデバイスの使用を含む化粧方法に関する。
【００２５】
本発明によれば、「中央面」とは、ブラシの回転軸（Ｘ）を通る、基部に対して垂直な面を意味するものとして理解される。
【００２６】
「断面」とは、中央面に沿った基部の断面を意味するものとして理解される。
【００２７】
「離間角度(angular space)」とは、軸（Ｘ）の周りで角度αだけずれている２つの中央面間の角度を意味するものとして理解される。
【００２８】
「各断面外形が、単一の最大値を含む」とは、各断面外形が、
−  最も高い単一の点、または
−  最も高い点の単一の領域
のいずれかを備える場合に言える。本発明の第１の好ましい実施形態によれば、最大値は、断面外形の２つの端部の一方に位置する。
【００２９】
「最大値」とは、基部から測定した直立要素の最大高さである。
【００３０】
各断面について、
−  最大高さの単一の直立要素、
−  または最大高さの複数の直立要素
のいずれかが存在することになり、後者の場合、これらの複数の直立要素は互いに隣り合って位置する。
【００３１】
本発明の第２の好ましい実施形態によれば、断面外形は、２つの領域、すなわち
−  すべて第１の高さ（ｈ１）を有する第１の直立要素を備える第１の領域、
−  すべて第２の高さ（ｈ２）を有する第２の直立要素を備える第２の領域
で構成され、第１の高さは第２の高さよりも低い。
【００３２】
本発明はまた、上記のデバイスを備えるキットに関する。
【００３３】
本発明はまた、上記で規定されたエンドピースに関する。
【００３４】
有利には、エンドピースは、離間した角度で少なくとも２つの異なる断面を有する。これらの断面は、異なる２つの中央面におけるブラシの２つの断面を比較することによって得られる。
【００３５】
特定の一実施形態では、エンドピースは、軸（Ｘ）を通る対称の中央面を有さない。
【００３６】
本発明によるデバイスによって、エンドピースを側方から回転軸に垂直な方向に見たときに、エンドピースは、軸（Ｘ）の周りで回転させると変動する外形を有するという事実によって、非常に満足のいく良質の洗浄およびマッサージを得ることが可能となる。
【００３７】
特定の一実施形態では、基部の各断面は、その２つの側方端部間で少なくとも１つの極値を通る。この極値は、最大値または最小値でよく、基部の断面は、その２つの側方端部間で特に１つの最大値と、１つの最小値とを通ることができる。
【００３８】
有利には、エンドピースの各断面は、０．２ｃｍ２〜５０ｃｍ２の間、より特定的には１ｃｍ２〜２０ｃｍ２の間の表面積を有する。
【００３９】
好ましくは、各断面の、直立要素の自由端を通る縁部は、曲線を成す。
【００４０】
「湾曲した」とは、「直線を成さない」ことを意味するものとして理解すべきであり、したがって破線は、本発明の意味の範囲内では曲線である。
【００４１】
したがって、断面の縁部は、片側でより大きい曲率を有し、他方の側でより小さい曲率を有することができ、あるいは、直線を成す、または実質的に直線を成す部分と、湾曲した部分とを備えることができる。
【００４２】
好ましくは、基部の表面積は３ｃｍ２よりも大きく、好ましくは５ｃｍ２よりも大きい。この寸法は、顔の輪郭に特に適している。その表面積は、好ましくは１５０ｃｍ２未満である。３０ｃｍ２〜１５０ｃｍ２の間の寸法が、身体（腿部、殿部、腹部、背部など）の輪郭に適合する。
【００４３】
有利には、基部は、直立要素（４）によって占められた全表面積（Ｓ）を有し、前記表面積（Ｓ）は、測定すると１ｃｍ２〜４ｃｍ２の間、好ましくは２ｃｍ２〜３ｃｍ２の間である。
【００４４】
マッサージおよび塗布デバイス
エンドピースを駆動手段によって回転させる際、エンドピースの回転速度は、たとえば、１５０〜４００ｒｐｍの間、好ましくは２００〜３００ｒｐｍの間でよい。
【００４５】
エンドピースは、本体に対して固定された幾何学的回転軸(geometric rotation axis)の周りで回転させることができる。変形形態として、エンドピースは、本体に対して動かすことができる幾何学的回転軸の周りで回転させてもよい。必要であれば、エンドピースの運動を偏心運動としてもよく、こうすることによって、組成物をより一様に、処置済領域と未処置領域との間の境界がそれほど目立たないように塗り広げることが可能となり、これはおそらくたとえば人工日焼け用クリームの場合に有利である。
【００４６】
エンドピースは、容器の長手軸に対してゼロ度またはゼロ度以外の角度を成す幾何学的回転軸の周りで回転させることができる。ゼロ度以外の角度では、人間工学を改善することができる。
【００４７】
このエンドピースは、マッサージおよび塗布デバイスに取外し可能に取り付けることができ、これによってエンドピースを洗浄する、かつ／または実施すべき処置に依存して選択された別のエンドピースと交換する、あるいは使用後に廃棄するために塗布デバイスを分離することが可能となる。
【００４８】
直立要素を形成する材料
直立要素は、弾性的に変形可能かつ／または圧縮可能な気泡材料を備えることができる。この材料は、発泡体でよい。発泡体は、次の一覧、すなわちポリウレタン、ポリエーテル、ポリエステル、ポリ塩化ビニル、ポリエチレン、ＥＶＡ、ラテックス、シリコーン、ＳＩＳ、ＳＥＢＳ、シリコーンエラストマ、ラテックスエラストマ、ニトリルエラストマ、ブチルエラストマ、Ｎｅｏｐｒｅｎｅ（登録商標）、ＮＢＲ、ＳＢＲから選択された材料から作製することができるが、この一覧に限定されるものではない。
【００４９】
直立要素は、異なる性質を有する複数の層、たとえばいくつかの種類の発泡体を有する複合構造体を有することができる。
【００５０】
直立要素は、いかなる形状も有することができる。直立要素は、円形、楕円形、または多角形の断面、たとえば三角形、正方形、六角形などの断面を有することができる。
【００５１】
直立要素は、研磨特性を有することができる。「研磨特性」とは、皮膚上で動かすと、その表面から死滅細胞の少なくとも幾分かを除去する表面を意味するものとして理解すべきである。
【００５２】
そのような表面は、０．０１〜０．０３ｇ／ｃｍ２／分の研磨力を特徴とすることができる。研磨力とは、１３５ＷのＢｌａｃｋ  ａｎｄ  Ｄｅｃｋｅｒ  ＣＤ４００研磨機を用いて、厚さ５０ｍｍを有するプラスタ片にあてがわれた研磨表面の１平方センチメートル当たり１分間に除去されるプラスタの量に相当し、このプラスタ片に加わる圧力は、研磨表面の平面における研磨機の動きを拘束した場合の、研磨機の重量によるものである。
【００５３】
そのような直立要素は、実質的に剛性の気泡材料を考慮することによって、または硬質粒子を可撓性の気泡材料に組み込むことによって得られる。
【００５４】
研磨表面の一例は、３Ｍから販売されている不織布剥離パッドである。
【００５５】
発泡体は、特に化粧品を塗り広げるのに適した軟質、かつ可撓性の発泡体でよく、時にはスポンジとしても知られる。
【００５６】
直立要素は、たとえば３２ｋｇ／ｍ３に等しい密度を有する、たとえば親水性の架橋ポリエステル発泡体でよい。
【００５７】
スポンジは従来、ファンデーションを塗布するために使用されており、ＮＢＲ、たとえばＰｅｎｔｈｏｕｓｅ  ＧｒｏｕｐのＹｕｋｉｌｏｎ（登録商標）などもやはり考えられる。
【００５８】
直立要素は、熱圧縮発泡体でもよい。熱圧縮によって、発泡体の表面に起伏を生じる、かつ/または弾性繊維(elastic fabric)と複合させることが可能となり、それによって可撓性であるが、プラスチックの生地感よりも心地よい生地感を発泡体に持たせることが可能となる。
【００５９】
熱圧縮発泡体の一例は、ポリオレフィン製の独立気泡発泡体であり、たとえば比重量３３ｋｇ／ｍ３を有する熱圧縮ポリエチレンを、たとえばＬｙｃｒａ（登録商標）などの弾性繊維と複合させたものである。
【００６０】
直立要素は、プラスチック材料、金属、またはガラス製のファイルでもよい。
【００６１】
直立要素は、射出成形可撓性プラスチック材料、たとえばエラストマ製であってもよく、マッサージを行う起伏、たとえば先が尖った端部、丸まった端部を有し、断面が円形、正方形、もしくは三角形、長さがたとえば１ｍｍ〜４０ｍｍの間のスパイク、または断面が円形もしくは楕円形、高さがたとえば１ｍｍ〜２０ｍｍの間のボールを有することができる。
【００６２】
直立要素は、たとえばＳＥＢＳまたはシリコーンなどのエラストマ製である。
【００６３】
直立要素は、合成剛毛または天然剛毛製のブラシでもよく、たとえば直径０．０５〜０．２ｍｍの間を有するポリアミドまたはＰＢＴの房状の毛束を有する剛毛ブラシでよく、特に直径０．０７５ｍｍを有するＮｙｌｏｎ（登録商標）６．１２製のものでよく、これらの剛毛は肌と接触したときに極めてソフトになるように研磨され研削されている。
【００６４】
直立要素の植設
「直立要素の端部」とは、直立要素の基部から最も遠くにあり、基部への取付けゾーンを起点として自由端の方向に延びる主延長軸上に位置する先端を意味するものとして理解されたい。
【００６５】
「直立要素の高さ」とは、直立要素の主延長軸に沿ってそれらの要素の自由端の方向に測定した距離を意味するものとして理解されたい。好ましくは、直立要素の高さは０．１〜３ｃｍの間である。
【００６６】
「直立要素の厚さ」とは、直立要素の基部への取付けゾーンで測定した直立要素の断面の最大値を意味するものとして理解されたい。好ましくは、直立要素の厚さは０．１ｍｍ〜０．５ｃｍの間である。
【００６７】
有利には、このデバイスは、極値寸法の２つの要素間の高さの差は、０．２ｃｍよりも大きく、好ましくは１ｃｍよりも大きく、より好ましくは１．５ｃｍよりも大きくなるような直立要素を備える。この差によって、最も高い要素と、最も短い要素によるリラクセーションとを皮膚に対して有効に交互にすることが可能となる。
【００６８】
本発明はまた、上記で規定されたエンドピースが中に収容される貫通孔を備える化粧品容器を備えるアセンブリに関する。
【００６９】
特に、この容器は、チューブまたはボトルでよい。
【００７０】
「極値寸法の２つの要素」とは、基部上の最大高さを有する要素と、基部上の最小高さを有する要素とであることを理解される。
【００７１】
本発明の非限定的な実装形態の次の説明を、添付の図面を参照しながら読めば、本発明をよりよく理解することができる。
【図面の簡単な説明】
【００７２】
【図１】本発明によるデバイスの一例を概略的に示す正面図である。
【図２】本発明によるエンドピースの概略斜視図である。
【図３】従来技術によるエンドピースの概略斜視図である。
【図４】従来技術によるエンドピースの概略斜視図である。
【図５】本発明による別のエンドピースの概略斜視図である。
【図６】図５のエンドピースの断面ＡＡの概略図である。
【図７】図５のエンドピースの概略上面図である。
【図８】側方から軸（Ｘ）に垂直な方向に見たときの、回転させる前の本発明によるエンドピースの外形を示す図である。
【図９】図８と同じ点から見ているが、半回転させた後の図８と同じエンドピースの外形を示す図である。
【図１０】側方から軸（Ｘ）に垂直な方向に見たときの、回転させる前の本発明によるエンドピースの外形を示す図である。
【図１１】図１０と同じ点から見ているが、半回転させた後の図１０と同じエンドピースの外形を示す図である。
【図１２】側方から軸（Ｘ）に垂直な方向に見たときの、回転させる前の本発明によるエンドピースの外形を示す図である。
【図１３】図１２と同じ点から見ているが、半回転させた後の図１２と同じエンドピースの外形を示す図である。
【図１４】側方から軸（Ｘ）に垂直な方向に見たときの、回転させる前の本発明によるエンドピースの外形を示す図である。
【図１５】図１４と同じ点から見ているが、半回転させた後の図１４と同じエンドピースの外形を示す図である。
【図１６】側方から軸（Ｘ）に垂直な方向に見たときの、回転させる前の本発明によるエンドピースの外形を示す図である。
【図１７】図１６と同じ点から見ているが、半回転させた後の図１６と同じエンドピースの外形を示す図である。
【図１８】側方から軸（Ｘ）に垂直な方向に見たときの、回転させる前の本発明によるエンドピースの外形を示す図である。
【図１９】図１８と同じ点から見ているが、半回転させた後の図１８と同じエンドピースの外形を示す図である。
【図２０】側方から軸（Ｘ）に垂直な方向に見たときの、回転させる前の本発明によるエンドピースの外形を示す図である。
【図２１】図２０と同じ点から見ているが、半回転させた後の図２０と同じエンドピースの外形を示す図である。
【図２２】側方から軸（Ｘ）に垂直な方向に見たときの、回転させる前の本発明によるエンドピースの外形を示す図である。
【図２３】図２２と同じ点から見ているが、半回転させた後の図２２と同じエンドピースの外形を示す図である。
【図２４】側方から軸（Ｘ）に垂直な方向に見たときの、回転させる前の本発明によるエンドピースの外形を示す図である。
【図２５】図２４と同じ点から見ているが、半回転させた後の図２４と同じエンドピースの外形を示す図である。
【図２６】側方から軸（Ｘ）に垂直な方向に見たときの、回転させる前の本発明によるエンドピースの外形を示す図である。
【図２７】図２６と同じ点から見ているが、半回転させた後の図２６と同じエンドピースの外形を示す図である。
【図２８】側方から軸（Ｘ）に垂直な方向に見たときの、回転させる前の本発明によるエンドピースの外形を示す図である。
【図２９】図２８と同じ点から見ているが、半回転させた後の図２８と同じエンドピースの外形を示す図である。
【発明を実施するための形態】
【００７３】
図１は、本発明に従って作製されたデバイス１を示す。
【００７４】
このデバイス１は、本体３を備え、この本体３に、皮膚と接触することになる塗布表面を画定しているエンドピース５があり得る。
【００７５】
デバイス１は、たとえば特許文献４に従って作製される。
【００７６】
本体３は、エンドピース５を本体３に対して回転運動で駆動するための手段を収容することができる。
【００７７】
この運動は、たとえば本体３に対して固定された回転軸Ｘの周りでの回転運動である。
【００７８】
この駆動手段は、本体３に収容された電気モータを備えることができ、１つまたは複数のバッテリによって電力供給され、ギヤによってエンドピースを軸Ｘの周りで回転させる。モータはまた、バッテリまたは充電式バッテリによって駆動することができる。
【００７９】
図１に示す例では、エンドピース５は、塗布表面３０を画定している直立要素４を備える。これらの直立要素は、基部２に固定され、自由端１１で終端している。
【００８０】
図２の例では、エンドピースは、本発明に従ったものである。塗布要素の自由端は、斜面を画定している。その勾配は、基部２に対して１０°である。このエンドピースを回転させると、この表面の形状は変わる。このエンドピースは、その傾斜した形状は保持しているが、向きが変わる。このエンドピースは、一回転ごとにその形状が回復する。
【００８１】
このエンドピースは、側方から回転軸（Ｘ）に垂直な方向に見たときに、軸（Ｘ）の周りで回転させると変動する外形（Ｓ）を有する。
【００８２】
図３の例では、このエンドピースは、従来技術に従っている。塗布要素の自由端は、ドーム形の表面を画定している。このエンドピースを回転させても、この表面はこのドーム形状を常に維持する。
【００８３】
このエンドピースは、側方から回転軸（Ｘ）に垂直な方向に見たときに、軸（Ｘ）の周りで回転させても変動しない外形（Ｓ）を有する。
【００８４】
図４の例では、このエンドピースは、従来技術に従っている。塗布要素の自由端は、平坦な形の表面を画定している。このエンドピースを回転させても、この表面はこの平坦な形状を常に維持する。
【００８５】
このエンドピースは、側方から回転軸（Ｘ）に垂直な方向に見たときに、軸（Ｘ）の周りで回転させても変動しない外形（Ｓ）を有する。
【００８６】
図５の例では、このエンドピースは、本発明に従っている。直立要素が剛毛の毛束ではなく、スパイクであることを除いて、このエンドピースは、図２のエンドピースと同じものである。このエンドピースを回転させると、外形の形状が変わる。
【００８７】
図６は、図５のエンドピースの断面図を示す。基部２は、プレート７０と一体に作製され、基部２には塗布装置の駆動部材に結合させるためのフック７２が設けられている。運動の伝達は、様々な他の手法、たとえば形状を相補的にすることによって、または摩擦によって行うこともできる。
【００８８】
図７は、図５のエンドピースの上面図である。この図は、塗布要素の自由端１１を示している。
【００８９】
図８〜図２９は、以下の対として検討すべきである。
【００９０】
偶数番号の各図は、エンドピースを回転させる前のエンドピースの外形を示す図である。この外形をＳ１と称する。
【００９１】
奇数番号の各図は、外形Ｓ１および外形Ｓ２を示す。外形Ｓ２は、半回転させた後のエンドピースの外形を表している。
【００９２】
各エンドピースでは、外形Ｓ１と外形Ｓ２とが異なっていることがわかる。
【００９３】
簡単に言えば、図では、半回転させた後に形状が変化していることが示されている。
【００９４】
図８〜図２９のエンドピースは、側方から軸（Ｘ）に垂直な方向に見たときに、軸（Ｘ）の周りで回転させると変動する外形（Ｓ）を有する。これらのエンドピースは、本発明によるエンドピースである。
【００９５】
本発明によるデバイスを使用するために、たとえばエンドピースを回転させずに組成物を塗布することが可能であり、こうすることによって、たとえばその組成物を処置すべき領域に塗り広げることが可能となる。次いで、組成物が塗布された領域をマッサージするためにエンドピースを回転させる。
【００９６】
別の例では、エンドピースは、組成物を分注せずに、処置すべき領域をマッサージするために回転させる。
【００９７】
さらに別の例では、エンドピースは、組成物を最初は分注せずに、処置すべき領域をマッサージするために回転させる。
【００９８】
マッサージ作用によって、たとえばエンドピースの皮膚に対する摩擦のため、局所加熱を引き起こすことができ、最初にエンドピースに組成物がないので、摩擦、および摩擦から生じる温感を増大させることができる。
【００９９】
次に、エンドピースをなおも回転させたまま、または変形形態として、エンドピースを停止させて、組成物を分注し、すでにマッサージした領域に塗り広げることができる。
【０１００】
上記説明の全体を通して「〜を備える」という表現は、そうでないことが明記されない限り、「少なくとも１つの〜を備える」と同義であると見なすべきである。
【符号の説明】
【０１０１】
１  デバイス
２  基部
３  本体
４  直立要素
５  エンドピース
１１  自由端
３０  塗布表面
７０  プレート
７２  フック
【図１】
2016500522.tif 000003
【図２】
2016500522.tif 000004
【図３】
2016500522.tif 000005
【図４】
2016500522.tif 000006
【図５】
2016500522.tif 000007
【図６】
2016500522.tif 000008
【図７】
2016500522.tif 000009
【図８】
2016500522.tif 000010
【図９】
2016500522.tif 000011
【図１０】
2016500522.tif 000012
【図１１】
2016500522.tif 000013
【図１２】
2016500522.tif 000014
【図１３】
2016500522.tif 000015
【図１４】
2016500522.tif 000016
【図１５】
2016500522.tif 000017
【図１６】
2016500522.tif 000018
【図１７】
2016500522.tif 000019
【図１８】
2016500522.tif 000020
【図１９】
2016500522.tif 000021
【図２０】
2016500522.tif 000022
【図２１】
2016500522.tif 000023
【図２２】
2016500522.tif 000024
【図２３】
2016500522.tif 000025
【図２４】
2016500522.tif 000026
【図２５】
2016500522.tif 000027
【図２６】
2016500522.tif 000028
【図２７】
2016500522.tif 000029
【図２８】
2016500522.tif 000030
【図２９】
2016500522.tif 000031
【国際調査報告】
2016500522.tif 000032
2016500522.tif 000033